(57)【特許請求の範囲】
【請求項１】
静止画、音声、動画のいずれか情報もしくはこれら情報の組み合わせを含む放送素材情報を送出する放送素材送出装置において、
少なくとも前記静止画、音声、動画を示す構成要素情報を別々の格納領域に格納する素材情報記憶部と、
放送イベント時刻と単独もしくは組み合わせ構成して放送素材情報として送出すべく構成要素情報とを対応付けた指示情報を格納する指示情報記憶部と、
自動番組送出制御装置から少なくとも前記放送イベント時刻を含む再生指令信号が入力されたとき、前記再生指令信号に基づいて前記指示情報記憶部から指示情報を取り込み解析し、しかる後に前記指示情報に基づき前記素材情報記憶部から１もしくは複数の任意の構成要素情報を取り込み、単独情報もしくは任意の複数の構成要素情報を組み合わせて前記放送素材情報として送出する演算処理部とを具備することを特徴とする放送素材送出装置。
【請求項２】
静止画、音声、動画のいずれか情報もしくはこれら情報の組み合わせを含む放送素材情報を送出する放送素材送出方法において、
第１のメモリ及び第２のメモリを備えるとき、
予め少なくとも前記静止画、音声、動画を示す構成要素情報を前記第１のメモリの別々の格納領域に格納しておき、
予め放送イベント時刻と単独もしくは組み合わせ構成して放送素材情報として送出すべく構成要素情報とを対応付けた指示情報を前記第２のメモリに格納しておき、
自動番組送出制御装置から少なくとも前記放送イベント時刻を含む再生指令信号が入力されたとき、この再生指令信号に基づいて前記第２のメモリから指示情報を取り込み解析し、しかる後に前記指示情報に基づき前記第１のメモリから１もしくは複数の任意の構成要素情報を取り込み、単独情報もしくは任意の複数の構成要素情報を組み合わせて前記放送素材情報として送出することを特徴とする放送素材送出方法。
【請求項３】
少なくとも静止画、音声、動画を示す構成要素情報を別々の格納領域に格納する素材情報記憶部と、放送イベント時刻と単独もしくは組み合わせ構成して放送素材情報として送出すべく構成要素情報とを対応付けた指示情報を格納する指示情報記憶部とを備える放送素材送出装置が、静止画、音声、動画のいずれか情報もしくはこれら情報の組み合わせを含む放送素材情報を送出するために用いる放送素材送出制御プログラムを記憶した記憶媒体であって、
自動番組送出制御装置から少なくとも前記放送イベント時刻を含む再生指令信号が入力されたとき、この再生指令信号に基づいて前記指示情報記憶部から指示情報を取り込み解析する第１のステップと、
この第１のステップによる指示情報に基づき、前記素材情報記憶部から１もしくは複数の任意の構成要素情報を取り込み、単独情報もしくは任意の複数の構成要素情報を組み合わせて前記放送素材情報として送出する第２のステップとを備えた放送素材送出制御プログラムを記憶した記憶媒体。
【発明の詳細な説明】
【０００１】
【発明の属する技術分野】
この発明は、例えばＴＶ（テレビジョン）放送やラジオ放送のＣＭ（コマーシャル）素材を送出するコマーシャル送出システムに係り、特に、静止画、音声、動画やこれらの任意の組み合わせから成るＣＭ素材を選択的に送出する放送素材送出装置及び放送素材送出方法、及び放送素材送出制御プログラムを記憶した記憶媒体に関する。
【０００２】
【従来の技術】
周知のように、例えばＴＶ放送やラジオ放送のＣＭ素材を送出するコマーシャル送出システムにあっては、ＣＭ素材を蓄積し、任意のタイミングでＣＭ素材を再生するビデオサーバが使用されている。このビデオサーバは、静止画、音声、動画やこれらの任意の組み合わせから成るＣＭ素材を素材別に各領域に蓄積しており、アドレス指定されることによりその指定領域に蓄積されたＣＭ素材が瞬時に再生されることになる。
【０００３】
ところで、上記システムに用いられるビデオサーバについては、再生時に、まず外部から再生すべきＣＭ素材が蓄積されている個々のアドレスを指定し、この指定されたそれぞれのＣＭ素材が再生されるべきタイミングで再生制御を行なわなければならない。よって、運用上における処理負担を増大させてしまう。また、ＣＭ素材の種類が多くなった場合には、それに応じた記憶領域も必要となるため、装置の大型化を招くことになる。
【０００４】
【発明が解決しようとする課題】
以上述べたように従来のビデオサーバでは、ＣＭ素材の再生を行なう場合に、外部で任意のＣＭ素材を送出するための再生操作を考慮しなければならず、運用上の処理負担が増大することになる。さらに、ＣＭ素材の種類の増加に応じて、記憶領域の拡大が余儀なくされ、装置の大型化を招いてしまうことになる。
【０００５】
そこで、この発明の目的は、外部で任意の放送素材情報を送出するための再生操作を考慮しなくても任意の放送素材情報を自動的に送出でき、しかも放送素材情報を記憶するための記憶容量の削減を図ることが可能な放送素材送出装置及び放送素材送出方法、及び放送素材送出制御プログラムを記憶した記憶媒体を提供することにある。
【０００６】
【課題を解決するための手段】
この発明に係る放送素材送出装置は、静止画、音声、動画のいずれか情報もしくはこれら情報の組み合わせを含む放送素材情報を送出する放送素材送出装置において、少なくとも静止画、音声、動画を示す構成要素情報を別々の格納領域に格納する素材情報記憶部と、構成要素情報を再生指令信号に応じて、単独もしくは組み合わせ構成して放送素材情報として送出するための指示情報を格納する指示情報記憶部と、外部から提供される再生指令信号を入力する再生指令入力部と、素材情報記憶部及び指示情報記憶部の格納領域を管理し、再生指令入力部からの再生指令信号に基づいて指示情報記憶部から指示情報を取り込み解析し、この解析結果に基づき素材情報記憶部から１もしくは複数の任意の構成要素情報を取り込み、単独情報もしくは任意の複数の構成要素情報を組み合わせて放送素材情報として送出する演算処理部とを備えるようにしたものである。
【０００７】
また、この発明に係る放送素材送出方法は、静止画、音声、動画のいずれか情報もしくはこれら情報の組み合わせを含む放送素材情報を送出する放送素材送出方法において、第１のメモリ及び第２のメモリを備えるとき、予め少なくとも静止画、音声、動画を示す構成要素情報を第１のメモリの別々の格納領域に格納しておき、予め静止画、音声、動画を再生指令信号に応じて、単独もしくは組み合わせ構成して放送素材情報として送出するための指示情報を第２のメモリに格納しておき、外部から再生指令信号が入力された場合に、この再生指令信号に基づいて第２のメモリから指示情報を取り込み解析し、この解析結果に基づき第１のメモリから１もしくは複数の任意の構成要素情報を取り込み、単独情報もしくは任意の複数の構成要素情報を組み合わせて放送素材情報として送出することを特徴とする。
【０００８】
さらに、この発明に係る記憶媒体は、少なくとも静止画、音声、動画を示す構成要素情報を別々の格納領域に格納する素材情報記憶部と、静止画、音声、動画を再生指令信号に応じて、単独もしくは組み合わせ構成して放送素材情報として送出するための指示情報を格納する指示情報記憶部とを備える放送素材送出装置が、静止画、音声、動画のいずれか情報もしくはこれら情報の組み合わせを含む放送素材情報を送出するために用いる放送素材送出制御プログラムを記憶した記憶媒体であって、外部から再生指令信号が入力された場合に、この再生指令信号に基づいて指示情報記憶部から指示情報を取り込み解析する第１のステップと、この第１のステップによる解析結果に基づき、素材情報記憶部から１もしくは複数の任意の構成要素情報を取り込み、単独情報もしくは任意の複数の構成要素情報を組み合わせて放送素材情報として送出する第２のステップとを備えることを特徴とする。
【０００９】
すなわちこの発明では、予め指示情報記憶部に再生指令信号に応じて素材情報記憶部に格納された静止画、音声、動画といった構成要素情報を組み合わせ構成するための指示情報が格納されているので、演算処理部は外部から再生指令信号が入力された場合に、この再生指令信号に基づいて指示情報記憶部から指示情報を取り込み、この指示情報に基づいて素材情報記憶部から送出すべき任意の構成要素情報を取り込み、任意の構成要素情報単独もしくは任意の複数の構成要素情報を組み合わせて放送素材情報として送出できるようにしている。
【００１０】
このため、任意の放送素材情報を送出するための再生操作を考慮する必要がなく、１つの再生指令を提供するのみで自動的に任意の放送素材情報が再生されることになり、これにより運用上の負担を軽減できる。また、予め静止画、音声、動画を選択的に組み合わせた放送素材情報を格納しておく必要がなくなり、その分従来に比して素材情報記憶部の記憶容量の削減も図れる。
【００１１】
【発明の実施の形態】
以下、この発明の実施形態について図面を参照して詳細に説明する。
【００１２】
図１は、この発明の一実施形態とするビデオサーバの概略構成を示すブロック図である。
【００１３】
図１のビデオサーバ１において、データバス１１上には素材情報メモリ１２、制御用メモリ１３、Ｉ／Ｏ（入力／出力）インタフェース１４、ＬＡＮ（ローカル・エリア・ネットワーク）インタフェース１５、ＣＰＵ１６が接続される。ここで、素材情報メモリ１２には、静止画、音声、動画を示す情報が各素材種別毎に別々の格納領域に格納されている。また、制御用メモリ１３には、予めＩ／Ｏインタフェース１４を介して入力された指示情報Ａ１，Ａ２（図２参照）が格納されている。この指示情報Ａ１，Ａ２には、放送イベント時刻、静止画、音声、動画といった素材種別、素材アドレスが含まれている。
【００１４】
ＬＡＮインタフェース１５には、後述する自動番組送出制御装置（ＡＰＣ）からの再生指令が入力される。この再生指令には、放送イベント時刻や送出すべき素材種別が含まれている。
【００１５】
ＣＰＵ１６は、ＬＡＮインタフェース１５に入力された再生指令に基づいて、制御用メモリ１３から指示情報を取り込み、その指示情報から素材情報メモリ１２の再生開始アドレス及び再生速度を解析し、この解析したアドレスから解析した再生速度で、素材情報メモリ１２の情報をＣＭ素材情報としてＩ／Ｏインタフェース１４を介して送出する。なお、ＣＰＵ１６は、素材情報メモリ１２及び制御用メモリ１３の各アドレスを管理している。
【００１６】
次に、上記構成によるビデオサーバ１を使用したシステムの動作について図３を参照して説明する。
まず、初期設定時において、ビデオサーバ１の制御用メモリ１３には、入力部２により指示情報Ａ１，Ａ２が書き込まれる。そして、システム運用時に、ＡＰＣ３からビデオサーバ１に対し放送イベント時刻及び指示情報の種類（Ａ１、Ａ２）を含む再生指令が送出される。ビデオサーバ１において、ＡＰＣ３から送出された再生指令は、ＬＡＮインタフェース１５によって、ＣＰＵ１６に通知される。ＣＰＵ１６は、再生指令の内容から制御用メモリ１３に格納された該当する放送イベント時刻、素材種別、素材アドレス、再生速度を読み出し、放送イベント時刻に応じて読み出した素材アドレスから読み出した再生速度で、素材情報メモリ１２の情報を放送すべきＣＭ素材情報としてＩ／Ｏインタフェース１４に転送する。これでＣＭ素材情報が送出されることになる。
【００１７】
以上述べたように上記実施形態では、予め制御用メモリ１３に再生指令に応じて素材情報メモリ１２に格納された静止画、音声、動画といった情報を組み合わせ構成するための指示情報Ａ１，Ａ２が格納されているので、ＣＰＵ１６はＡＰＣ３から再生指令が入力された場合に、この再生指令に基づいて制御用メモリ１３から指示情報を取り込み、この指示情報に基づいて素材情報メモリ１２から送出すべき任意の情報を取り込み、任意の情報単独もしくは任意の複数の情報を組み合わせてＣＭ素材情報として送出できるようにしている。
【００１８】
従って、ＡＰＣ３側で任意のＣＭ素材情報を送出するための再生操作を考慮する必要がなく、１つの再生指令を提供するのみでビデオサーバ１から自動的に任意のＣＭ素材情報が再生されることになり、これにより運用上の負担を軽減できる。
【００１９】
また、送出すべき複合素材Ａが静止画１，２，３であり、複合素材Ｂが静止画１，２，５である場合に、ビデオサーバ１の素材情報メモリ１２には静止画１，２，３，５のみ存在すれば良いため、予め素材情報メモリ１２に複合素材Ａ、Ｂを格納しておく必要がなくなり、その分素材情報メモリ１２の記憶容量の削減も図れ、装置の大型化を抑えることができるとともに、運用コストを低減することができる。
【００２０】
なお、上記実施形態では、再生指令として放送イベント時刻及び指示情報の種類を含めた情報を提供する例について説明したが、制御用メモリ１３に時刻に対応づけて指示情報が記憶されているならば、時刻情報のみ含めるようにしてもよい。この場合、放送局の局内時計でビデオサーバ１を自動的に動作させることができるようになる。
【００２１】
また、上記実施形態では、ＣＭ素材を取り扱う例について説明したが、例えば放送番組等を取り扱うようにしてもよい。
【００２２】
その他、ビデオサーバの構成、再生指令の種類、素材情報メモリ及び制御用メモリの記憶内容、ＣＭ素材の送出手順等についても、この発明の要旨を逸脱しない範囲で種々変形して実施できる。
【００２３】
【発明の効果】
以上詳述したようにこの発明によれば、外部で任意の放送素材情報を送出するための再生操作を考慮しなくても任意の放送素材情報を自動的に送出でき、しかも放送素材情報を記憶するための記憶容量の削減を図ることが可能な放送素材送出装置及び放送素材送出方法、及び放送素材送出制御プログラムを記憶した記憶媒体を提供することができる。
【図面の簡単な説明】
【図１】この発明の一実施形態とするビデオサーバの構成を示すブロック図。
【図２】同実施形態の制御用メモリの記憶内容を示す図。
【図３】同実施形態を適用したシステムの動作を説明するために示す図。
【符号の説明】
１…ビデオサーバ、
２…入力部、
３…自動番組送出制御装置（ＡＰＣ）、
１１…データバス、
１２…素材情報メモリ、
１３…制御用メモリ、
１４…Ｉ／Ｏインタフェース、
１５…ＬＡＮインタフェース、
１６…ＣＰＵ。
【図１】
0004473434.tif 000002
【図２】
0004473434.tif 000003
【図３】
0004473434.tif 000004